(57)【要約】【課題】電池電圧が遮断弁の動作できない電圧まで急激に低下した場合に、その電圧低下を検出し、遮断弁を閉駆動させ、安全性の確保を図ることを目的とする。【解決手段】電池４の電圧が低下し、遮断弁３を駆動できない電圧まで低下した時に、制御電圧供給部７に充電されているコンデンサ１１の電荷により、遮断弁３を駆動させることでガスを遮断し、電池４の電圧低下により遮断弁が駆動できない状態でのガス使用を停止させ、ガス使用上の安全性を向上させることを目的とする。【選択図】図１
2006133849.tif 000002
【特許請求の範囲】
【請求項１】
ガスメータのガス流路内に設けられた遮断弁と、前記遮断弁の駆動電力を供給する電池と、前記ガス流路を通過するガス流量を測定し、ガス流量が異常であれば遮断信号を出力する制御部と、前記遮断信号により遮断弁を駆動してガス流路を閉止する遮断弁駆動部と、前記電池を電源として制御部に電源を供給する制御電圧供給部と、前記電池の電圧を検出し、所定電圧以下の時に遮断信号を出力する電池電圧検出部とを具備したガス遮断装置。
【請求項２】
制御電圧供給部は、制御部の電源電圧低下時に供給電流を制限し、制御電源電圧の低下を緩和するようにした請求項１に記載のガス遮断装置。
【請求項３】
電池電圧検出部による電圧低下検出時に通信部を介して保安業務を担うセンタに連絡するようにした請求項１に記載のガス遮断装置。
【発明の詳細な説明】
【技術分野】
【０００１】
本発明は、ガス使用上の安全を図ったガス遮断装置に関するものである。
【背景技術】
【０００２】
従来のガス遮断装置において、ガス通路を遮断するガス遮断部と、ガス流量を検出するガス流量検出部と、このガス流量検出部が異常流量を検出されると、ガス遮断部へ遮断出力信号を送り、ガス通路を閉じる第１の制御モードと、閉じられたガス通路を開放、復帰させる復帰操作部と、動作状態を表示する表示部と、複数からなる切替可能な電源と、電源の電圧を所定の時間毎に検出する電圧検出部と、電圧検出部にて所定電圧以下の電圧が検出されれば、ガス遮断部へ遮断出力信号を送り、ガス通路を閉じる第２の制御モードと、第２の制御モードが実行された後、複数からなる切替可能な電源の切替を行なう第３の制御モードとを有する制御部とで構成されるものであった（例えば、特許文献１参照）。
【０００３】
図３はそのフライ例をしめすもので、２１はガス流量検出部であり、異常な長時間使用や、異常流量を検出すると制御部２２の第１の制御モード２２ａによってガス遮断部２３を閉動させ、ガス通路（図示せず）を閉じる。
【０００４】
また、所定の時間毎に同一周期で、電池からなる電源２４の電圧を電圧検出部２５で検出するようにしており、電源２４の電圧が所定電圧以下となったことを検出すれば、ガス遮断部２３の動作限界に達する前に、第２の制御モード２２ｂによりガス遮断部２３へ遮断出力信号を送り、このガス遮断部２３を閉動させ、ガス通路を閉じる。
【０００５】
さらに、第２の制御モード２２ｂによって、閉じられたガス通路を開放、復帰させる復帰操作部２６を操作することによって閉じられたガス通路の開放がなされる。この開放の際、第２の制御モード２２ｂが実行された後、複数からなる切替可能な電源２４ａ，２４ｂの切替を行なう第３の制御モード２２に設定される。
【０００６】
これにより、次回の電源２４の電圧検出時には、電圧検出部２５にて所定電圧以下となることは検出されず、ガス遮断部２３が作動することによってガス通路が閉じられることは避けられることになる。
【０００７】
さらに、第２の制御モード２２ｂ、及び、第３の制御モード２２ｃが実行される場合に、外部との通信が可能な通信部２７や、使用者に使用状態を知らせる表示部２８にそれぞれのモードが実行されていることを出力するようにしている。
【特許文献１】特開２００１−２２８００６号公報
【発明の開示】
【発明が解決しようとする課題】
【０００８】
しかし、従来のガス遮断装置の構成では、電池電圧検出の所定タイミングまでに電池の電圧が遮断弁を駆動できない電圧まで低下すると遮断弁が駆動できなくなり、ガス遮断ができなくなるという問題があった。
【０００９】
本発明は、上記従来の問題点を解決したもので、電池の電圧が低下し、遮断弁を駆動できない電圧まで低下した時に、制御電圧供給部に充電されている電荷により、遮断弁を駆動させることでガス遮断し、電池の電圧低下により遮断弁が駆動できない状態でのガス使用を停止させ、ガス使用上の安全性を向上させることができる。
【課題を解決するための手段】
【００１０】
本発明は、ガスメータのガス流路内に設けられた遮断弁と、前記遮断弁の駆動電力を供給する電池と、前記ガス流路を通過するガス流量を測定し、ガス流量が異常であれば遮断信号を出力する制御部と、前記遮断信号により前記遮断弁を駆動して、前記ガス流路を閉止する遮断弁駆動部と、前記電池を電源とし制御部に電源を供給する制御電圧供給部と、前記制御部に供給される電源電圧を検出し、所定電圧以下の時に遮断信号を出力する電池電圧検出部とを具備したもので、電池の電圧が低下し、遮断弁を駆動できない電圧まで低下した時に、制御電圧供給部に充電されている電荷により遮断弁を駆動させることでガス遮断し、電池の電圧低下により遮断弁が駆動できない状態でのガス使用を停止させ、ガス使用上の安全性を向上させたものである。
【発明の効果】
【００１１】
本発明のガス遮断装置は、電池の電圧が低下し、遮断弁を駆動できない電圧まで低下した時に、制御電圧供給部に充電されている電荷により、遮断弁を駆動させることでガス遮断し、電池の電圧低下により遮断弁が駆動できない状態でのガス使用を停止させ、ガス使用上の安全性を向上させることができる。
【発明を実施するための最良の形態】
【００１２】
第１の発明は、ガスメータのガス流路内に設けられた遮断弁と、前記遮断弁の駆動電力を供給する電池と、前記ガス流路を通過するガス流量を測定し、ガス流量が異常であれば遮断信号を出力する制御部と、前記遮断信号により前記遮断弁を駆動して、前記ガス流路を閉止する遮断弁駆動部と、前記電池を電源とし制御部に電源を供給する制御電圧供給部と、前記電池の電圧を検出し、所定電圧以下の時に遮断信号を出力する電池電圧検出部とで構成してなることを特徴とする。
【００１３】
上記構成によれば、電池の電圧が低下し、遮断弁を駆動できない電圧まで低下した時に、制御電圧供給部に充電されている電荷により、遮断弁を駆動させることでガス遮断し、電池の電圧低下により遮断弁が駆動できない状態でのガス使用を停止させ、ガス使用上の安全性を向上させることができる。
【００１４】
第２に発明は、特に、第１の発明に制御電圧供給部は制御部の電源電圧低下時に供給電流を制限し、制御電圧供給部に充電されている電荷の消費を抑えることで制御電源電圧の低下を緩和することを特徴とする。
【００１５】
上記の構成によれば、電池の電圧が制御電源電圧より低下すると、制御電圧供給部に充電されている電荷が制御部に消費されることにより、制御電源電圧も低下させてしまうため、抵抗を制御電圧供給部に備えて電流を制限させることで、制御電源電圧の著しい低下を防ぎ、遮断弁駆動電圧を確保することができる。
【００１６】
そして、制御電圧供給部に充電されている電荷により遮断弁を駆動させることでガス遮断し、電池の電圧低下により遮断弁が駆動できない状態でのガス使用を停止させ、ガス使用上の安全性を向上させることができる。
【００１７】
第３の発明は、特に、第１の発明に電池の電圧が低下したことを電池電圧検出部が検出すると、発呼信号を通信線で伝送し、保安業務を担うセンタに連絡をする通信部とで構成されることを特徴としている。
【００１８】
上記構成によれば、電池の電圧が遮断弁を駆動できない電圧まで低下した場合に、電池電圧低下を検出し、遮断弁を駆動させることでガス遮断し、電池の電圧が遮断弁を駆動できない状態でのガス使用を停止させ、さらにガス監視センタに連絡することで早急にガスメータの交換に向かうことができるため、ガス使用上の安全性を向上させ、ガス利用者の利便性を図ることができる。
【００１９】
（実施の形態１）
図１において、ガスメータ１のガス流路２内に設けられた遮断弁３と、この遮断弁３の駆動電力を供給する電池４と、上記ガス流路２を通過するガス流量を測定し、ガス流量が異常であれば遮断信号ａを出力する制御部５と、遮断信号ａにより遮断弁３を駆動して、ガス流路２を閉止する遮断弁駆動部６と、電池４を電源とし、制御部５に電源を供給する制御電圧供給部７と、制御電圧供給部７に供給される電池３の電圧を検出し、所定電圧以下の時に遮断信号ａを出力する電圧検出部８と、この電圧検出部８による電圧低下検出時に電圧低下の発生を保安業務を担うセンタ９に連絡する通信部１０とで構成されるものである。
【００２０】
図２は具体的な回路構成を示すもので、電池４の電圧が制御部５の駆動可能電圧を下回った時、コンデンサ１１に蓄積されている電荷により一定時間は電圧が供給されるため、制御部５は動作することが可能である。
【００２１】
一定時間はコンデンサ１１の定数と制御部５の消費電流により決定される。ダイオード１２はコンデンサ１１の放電電流の方向を規制するもので、抵抗１３は電流規制抵抗である。また抵抗１４はコンデンサ１１への突入電流制限抵抗である。
【００２２】
電池４の電圧が所定電圧以下まで低下すると、遮断弁３を駆動する電圧を確保できず、この遮断弁３が駆動不可能となる。この時、電圧検出部８がトランジスタ１５を動作させ、コンデンサ１１に蓄積されている電荷によりトランジスタ１６が動作することで遮断弁駆動部６は遮断弁３を駆動し、ガス流路２を閉止する。
【００２３】
このように、電池４の電圧が低下し、遮断弁３を駆動できない電圧まで低下した時に、制御電圧供給部７に充電されている電荷により、遮断弁３を駆動させることでガスを遮断し、電池４の電圧低下により遮断弁３が駆動できない状態でのガス使用を停止させ、ガス使用上の安全性を向上させることができる。
【００２４】
また電池４の電圧が制御電源電圧より低下すると、制御電圧供給部７に充電されている電荷が制御部５に消費されることにより、制御電源電圧も低下させてしまうため、電流制限抵抗１４を制御電圧供給部７に備えて電流を制限させることで、制御電源電圧の著しい低下を防ぎ、遮断弁３の駆動電圧を確保することができる。
【００２５】
そして、制御電圧供給部７に充電されている電荷により遮断弁３を駆動させることでガスを遮断し、電池４の電圧低下により遮断弁が駆動できない状態でのガス使用を停止させ、ガス使用上の安全性を向上させることができる。
【００２６】
さらにセンタ９に連絡することで早急にガスメータ１の交換に向かうことができるため、ガス使用上の安全性を向上させ、ガス利用者の利便性を図ることができる。
【産業上の利用可能性】
【００２７】
本発明にかかるガス遮断装置は、ガスメータ以後のガス使用時にガス使用上の安全を図るガス遮断装置に関するものである用途に適用することができる。
【図面の簡単な説明】
【００２８】
【図１】本発明の実施の形態１におけるガス遮断装置の構成図
【図２】同ガス遮断装置の回路構成図
【図３】従来のガス遮断装置の構成図
【符号の説明】
【００２９】
１  ガスメータ
２  ガス流路    
３  遮断弁
４  電池
５  制御部
６  遮断弁駆動部
７  制御電圧供給部
８  電圧検出部
９  センタ
１０  通信部
【図１】
2006133849.tif 000003
【図２】
2006133849.tif 000004
【図３】
2006133849.tif 000005